(57)【要約】【課題】低音再生時における音響変換効率をより高めることで、良質な音を提供できるスピーカ装置に関する技術を提供する。【解決手段】第一のスピーカと、前記第一のスピーカと対向する第二のスピーカと、前記第一のスピーカと前記第二のスピーカとを収容するスピーカボックスと、  前記第一のスピーカと前記第二のスピーカとを連結する連結部と、前記第一のスピーカと前記第二のスピーカとの間に設けられる振動伝達室であって、前記スピーカボックスに設けられた開口部と連通する振動伝達室と、を備える。【選択図】図２
2009094677.tif 000002
【特許請求の範囲】
【請求項１】
第一のスピーカと、
前記第一のスピーカと対向する第二のスピーカと、
前記第一のスピーカと前記第二のスピーカとを収容するスピーカボックスと、
前記第一のスピーカと前記第二のスピーカとを連結する連結部と、
前記第一のスピーカと前記第二のスピーカとの間に設けられる振動伝達室であって、前記スピーカボックスに設けられた開口部と連通する振動伝達室と、
を備えるスピーカ装置。
【請求項２】
第一のスピーカと、
前記第一のスピーカと対向するように間隔をあけて配置され、前記第一のスピーカに入力される信号と同相の信号が入力される第二のスピーカと、
前記第一のスピーカの背面部と前記第二のスピーカの背面部とを連結する連結部と、
前記第一のスピーカと前記第二のスピーカとの間に形成される空間の周囲を囲むことで、該第一のスピーカと該第二のスピーカが振動した際における前記空間内の空気の逃げを抑制する振動伝達室と、
前記振動伝達室に設けられ、該振動伝達室において振動が伝達された空気を音波として外部へ放出する開口部と、
前記第一のスピーカと前記第二のスピーカとを収容する箱状のスピーカボックスと、
を備えるスピーカ装置。
【請求項３】
前記スピーカボックス内に配置され、前記スピーカボックスを構成する壁と接触しないように、前記第一のスピーカと前記第二のスピーカとを支持するスピーカ支持部を更に備える請求項１又は請求項２に記載のスピーカ装置。
【請求項４】
前記支持部は、前記第一のスピーカと前記第二のスピーカとをフローティング状態で支持する、請求項３に記載のスピーカ装置。
【請求項５】
前記連結部は、前記第一のスピーカの振動板と前記第二のスピーカの振動板とを貫通し、一端が前記第一のスピーカの背面部の磁気回路部の一部に接続され、他端が前記第二のスピーカの背面部の磁気回路部の一部に接続される、請求項１から請求項４のいずれか１項に記載のスピーカ装置。
【請求項６】
前記振動伝達室を構成する壁と前記第一のスピーカとが接続される部分と、前記振動伝達室を構成する壁と前記第二のスピーカとが接続される部分と、の夫々に設けられる緩衝部であって、該第一のスピーカと該第二のスピーカの振動を許容する緩衝部を更に備える、請求項１から請求項５のいずれか１項に記載のスピーカ装置。
【請求項７】
前記スピーカボックスは、前記第一のスピーカの後方からの音波を閉じ込める第一密閉室と、前記第二のスピーカの後方からの音波を閉じ込める第二密閉室と、を有する請求項１から請求項６のいずれか１項に記載のスピーカ装置。
【発明の詳細な説明】
【技術分野】
【０００１】
本発明は、スピーカ装置に関する。
【背景技術】
【０００２】
音響特性の向上や音質向上を目的として、スピーカ装置に関する種々の技術が提案されている。例えば、特許文献１には、第一のスピーカの背面部と第二のスピーカの背面部とを固定手段によって固定する技術が開示されている。ここで、図１は、特許文献１に開示されているスピーカの概略断面図を示す。同図に示すように、特許文献１に記載のスピーカは、振動板１０１ａ、ボイスコイル１０２ａ、磁気回路１０３ａ等を備える第一スピーカ１１０ａと、同じく振動板１０１ｂ、ボイスコイル１０２ｂ、磁気回路１０３ｂ等を備える第二スピーカ１１０ｂと、を備え、第一スピーカ１１０ａの磁気回路１０３ａと第二スピーカ１１０ｂの磁気回路１０３ｂとが間隔をあけてシャフト１０４（固定手段）によって連結されている。特許文献１に記載の技術によれば、上記のような構成を備えることで、磁気回路１０３ａ、１０３ｂの振動を効率よく抑えて、振動板１０１ａ、１０１ｂの音響変換効率を効果的に高めることが可能となる。
【特許文献１】特開２００７−５３７９８号公報
【特許文献２】特許第２６８２９８９号公報
【特許文献３】特開平９−２３８３９３号公報
【発明の開示】
【発明が解決しようとする課題】
【０００３】
従来のスピーカでは、スピーカの振動がスピーカボックスに伝わり易く、その結果スピーカボックスから位相のずれた音が発生し、音質が低下することが懸念されていた。また、従来のスピーカでは、スピーカの磁気回路側が固定されておらず振動し易いため、振動板から空気へ伝達されるエネルギー効率が悪く、音の過渡特性が悪くなるといったことが懸念されていた。
【０００４】
このような問題を解決するため、第一のスピーカの背面部と第二のスピーカの背面部とを固定手段によって固定する技術が開示されている。この技術によれば、スピーカの背面部に配置された磁気回路の振動を効率よく抑えて、振動板の音響変換効率を効果的に高めることが可能となる。なお、上記技術では、スピーカの前方が開放されていることから、夫々のスピーカに押された空気がスピーカの横に逃げるといった現象が起こりうる。従って、このような空気の逃げを抑制することができれば、振動板の音響変換効率を更に高めることができる。
【０００５】
本発明では、上記した背景に鑑み、音響変換効率をより高めることで、良質な音を提供できるスピーカ装置に関する技術を提供することを課題とする。
【課題を解決するための手段】
【０００６】
本発明では、上述した課題を解決するため、二つのスピーカを所定の間隔をあけて対向するように配置するとともに、この二つのスピーカを連結部によって固定し、更に、二つのスピーカの間に形成される空間の周囲に壁を形成することで空気の逃げを抑制することとした。すなわち、本発明は、第一のスピーカと、前記第一のスピーカと対向する第二のスピーカと、前記第一のスピーカと前記第二のスピーカとを収容するスピーカボックスと、前記第一のスピーカと前記第二のスピーカとを連結する連結部と、前記第一のスピーカと前記第二のスピーカとの間に設けられる振動伝達室であって、前記スピーカボックスに設けられた開口部と連通する振動伝達室と、を備える。
【０００７】
より詳細には、本発明は、第一のスピーカと、前記第一のスピーカと対向するように間隔をあけて配置され、前記第一のスピーカに入力される信号と同相の信号が入力される第二のスピーカと、前記第一のスピーカの背面部と前記第二のスピーカの背面部とを連結する連結部と、前記第一のスピーカと前記第二のスピーカとの間に形成される空間の周囲を囲むことで、該第一のスピーカと該第二のスピーカが振動した際における前記空間内の空気の逃げを抑制する振動伝達室と、前記振動伝達室に設けられ、該振動伝達室において振動が伝達された空気を音波として外部へ放出する開口部と、前記第一のスピーカと前記第二のスピーカとを収容する箱状のスピーカボックスと、を備えるスピーカ装置である。
【０００８】
本発明によれば、二つのスピーカの背面部同士を連結部によって連結することで、夫々のスピーカの背面部の振動を低減することができ、音響変換効率を高めることができる。また、本発明によれば、振動伝達室を備えることで、第一のスピーカと第二のスピーカとの間の空気を効率的に圧縮、換言すると第一のスピーカと第二のスピーカの夫々の振動板の振動を効率よく空気に伝達することができる。その結果、音響変換効率を高めることができる。
【０００９】
第一のスピーカは、磁界と電流の間に生ずる力を利用して音波を発生する導電型スピーカによって構成することができる。第二のスピーカも同じく導電型スピーカによって構成することができる。第一のスピーカと第二のスピーカとは、完全同一である必要はないが、同径のコーン、同径の磁気回路を有していることが好ましい。
【００１０】
第一のスピーカと第二のスピーカとは、夫々の前方（振動板側）が対向するように間隔をあけて配置される。また、第一のスピーカと第二のスピーカには同相の信号が入力され、更に、二つのスピーカは連結部によって連結される。その結果、二つのスピーカは、同相駆動する。なお、従来のスピーカは、スピーカの背面部が固定されておらず振動しやすく、背面部に配置された磁気回路部の振動によって振動板から空気へ伝達されるエネルギー効率が低下するといった問題があった。これに対し、本発明によれば、二つのスピーカの背面部同士が連結部によって連結され、背面部の振動が連結部によって低減されるので、振動板から空気へ伝達されるエネルギーの効率、すなわち音響変換効率を高めることができる。
【００１１】
振動伝達室は、第一のスピーカと第二のスピーカとの間に形成される空間の周囲を囲む。すなわち、本発明によれば、第一のスピーカと第二のスピーカとの間に形成される空間内の空気がスピーカの振動時に外部へ逃げることが抑制されるので、空気へのエネルギーの伝達が効果的に行われる。つまり、振動板の音響変換効率が高められる。また、低音再生時には、振動の波長が長いため、高音再生時に比べて空気の逃げが起こりやすく、振動板から空気への伝達されるエネルギーの効率が低下することが懸念される。しかし、本発明によれば、振動伝達室を備えることで、第一のスピーカと第二のスピーカとの間に形成される空間内の空気に確実に振動が伝達されることから、低音再生時においても音響変換効率を高めることができる。
【００１２】
振動伝達室には、開口部が設けられ、振動が伝達された空気が音波としてスピーカの外部へ放出される。その結果、聴取者は、本発明のスピーカから発せられる音声を聴取することができる。
【００１３】
スピーカボックスは、第一のスピーカと第二のスピーカを収容するいわゆるスピーカボックスである。上述した振動伝達室も、スピーカボックス内に設けられる。スピーカボックスには、振動伝達室とは独立した密閉された空間を設けることが好ましく、これにより、振動伝達室から放出される音波、すなわち第一及び第二のスピーカの前方から発せられ
る音波と夫々のスピーカの背面部から発せられる音波との干渉を防止することができる。その結果、聴取者に対して良質な音声を提供することが可能となる。なお、スピーカボックスの形状は特に限定されるものではなく、直方体、円筒等いずれであってもよい。
【００１４】
ここで、本発明は、上述した構成に加えて、前記スピーカボックス内に配置され、前記スピーカボックスを構成する壁と接触しないように、前記第一のスピーカと前記第二のスピーカとを支持するスピーカ支持部を更に備える構成とすることができる。
【００１５】
スピーカ支持部は、スピーカボックス内に配置され、夫々のスピーカを支持する。より具体的には、スピーカ支持部は、連結部によって互いに連結された第一のスピーカと第二のスピーカとが、振動時においてスピーカボックスの各壁部に接触しないよう各壁部から所定の間隔をあけて配置されるように連結部によって連結された二つのスピーカを支持する。本発明によれば、連結された二つのスピーカがスピーカボックスに直付けされないので、従来スピーカボックスにスピーカを直付けした場合に懸念されるいわゆる箱鳴り（付帯音）の発生を抑制することができる。その結果、音の明瞭度を向上することができる。
【００１６】
また、本発明において、前記支持部は、前記第一のスピーカと前記第二のスピーカとをフローティング状態で支持するようにしてもよい。
【００１７】
上述したように本発明によれば、夫々のスピーカがスピーカボックスの各壁部に接触しないように支持部によって支持されることから箱鳴りの発生を抑制することができる。なお、第一のスピーカと第二のスピーカは共に振動するが、この振動を吸収することができれば、振動がスピーカボックスに伝達されることを抑制することができ、音の明瞭度をより向上することができる。そこで、本発明では、夫々のスピーカをフローティング状態で支持することとした。フローティング状態の支持は、例えば夫々のスピーカとスピーカ支持部とを接続する部分にフェルト等を設ければよい。これにより、本発明によれば、夫々のスピーカがフローティング状態で支持され、スピーカの振動がスピーカボックスに伝達されること無く吸収される。その結果、いわゆる箱鳴りを抑制して、より音の明瞭度を高めることができる。また、夫々のスピーカをフローティング状態で支持する部分は、気密性を持たせることが好ましい。なお、夫々のスピーカとスピーカ支持部とを接続する部分にフェルト等を設けることで、フローティング状態で支持すると共に、気密性を維持することができる。
【００１８】
また、本発明において、前記連結部は、前記第一のスピーカの振動板と前記第二のスピーカの振動板とを貫通し、一端が前記第一のスピーカの背面部の磁気回路部の一部に接続され、他端が前記第二のスピーカの背面部の磁気回路部の一部に接続されるようにしてもよい。
【００１９】
従来のスピーカでは、スピーカの背面部に設けられる磁気回路部が固定されていないことが多く、その結果、磁気回路部の振動がスピーカの振動板の振動を妨げ、結果として、振動板の音響変換効率を低減させていた。これに対し、本発明では、夫々のスピーカの磁気回路部同士が連結部によって連結されていることから、連結部において磁気回路の振動を低減することができ、振動板の音響変換効率を高めることができる。なお、磁気回路部の一部には、磁性体や磁石が例示される。
【００２０】
また、本発明は、上述した構成に加えて、前記振動伝達室を構成する壁と前記第一のスピーカとが接続される部分と、前記振動伝達室を構成する壁と前記第二のスピーカとが接続される部分と、の夫々に設けられる緩衝部であって、該第一のスピーカと該第二のスピーカの振動を許容する緩衝部を更に備える構成とすることができる。
【００２１】
第一のスピーカと第二のスピーカは振動することから、夫々のスピーカと振動伝達室とが接続される部分には、夫々のスピーカの振動を許容できる構成が設けられていることが好ましい。そこで、本発明では、夫々のスピーカと振動伝達室との接続部分に緩衝部を設けることとした。これにより、夫々のスピーカの振動が許容される。なお、緩衝部には、前記夫々の接続部分に形成される隙間から該振動伝達室内の空気が漏れるのを抑制する機能を持たせてもよい。
【００２２】
また、本発明において、前記スピーカボックスは、前記第一のスピーカの後方からの音波を閉じ込める第一密閉室と、前記第二のスピーカの後方からの音波を閉じ込める第二密閉室と、を有する構成とすることができる。
【００２３】
本発明によれば、振動伝達室から放出される音波、すなわち第一及び第二のスピーカの前方から発せられる音波と夫々のスピーカの後方から発せられる音波との干渉を防止することができ、その結果、聴取者に対して良質な音声を提供することが可能となる。
【発明の効果】
【００２４】
本発明によれば、音響変換効率をより高めることで、良質な音を提供できるスピーカ装置に関する技術を提供することができる。
【発明を実施するための最良の形態】
【００２５】
次に、本発明のスピーカ装置の実施形態について図面に基づいて説明する。
【００２６】
＜構成＞
図２は、スピーカ装置の概略断面図を示す。なお、同図は、スピーカ装置を正面視した場合の断面を示す。同図に示すように、スピーカ装置１は、第一スピーカ２ａと、第二スピーカ２ｂと、第一スピーカ２ａと第二スピーカ２ｂとを連結するシャフト３（本発明の連結部に相当する。）と、第一スピーカ２ａを支持する第一支持部４ａと、第二スピーカ２ｂを支持する第二支持部４ｂと、第一スピーカ２ａと第二スピーカ２ｂを収容するスピーカボックス５と、によって構成されている。スピーカボックス５には、第一スピーカ２ａと第二スピーカ２ｂとの間の空間内の空気を囲む振動伝達室６と、第一スピーカ２ａの後方に設けられる第一密閉室７ａと、第二スピーカ２ｂの後方に設けられる第二密閉室７ｂと、が設けられている。
【００２７】
スピーカボックス５は、天板５１、底板５２、側板５３、５４、正面板５５（紙面手前側）、背面板５６（紙面奥側）によって構成される直方体である。なお、スピーカボックス５の形状は、これに限定されるものではない。スピーカボックス５は、例えば円筒形とすることができる。
【００２８】
第一スピーカ２ａは、磁気ギャップ（図示せず）に挿入されるボイスコイル２１ａと、ボイスコイル２１ａの振動を伝達するボイスコイルボビン２２ａと、ボイスコイルボビン２２ａを介して伝達された振動を音波として発するコーン型振動板２３ａと、コーン型振動板２３ａを保持するフレーム２４ａと、コーン型振動板２３ａに取り付けられ、コーン型振動板２３ａの径方向の変形防止及び塵埃などの進入を防止するセンターキャップ２５ａと、によって構成されている。また、第一スピーカ２ａの背面には、磁気回路２６ａが設けられ、磁気回路２６ａは、環状の磁石２７ａと、円盤部と円柱部によって構成され、円柱部が環状の磁石２７ａの内側に配置される磁性体としてヨーク２８ａとによって構成されている。以下夫々の構成について、詳細に説明する。
【００２９】
第二スピーカ２ｂは、第一スピーカ２ａと同様の構成を有する。本実施形態においては、第一スピーカ２ａと第二スピーカ２ｂとを同一形態とした。なお、本書では、符号に同
一の数字を用いるとともに、第一スピーカ２ａの構成については、符号の末尾にａを付し、第二スピーカ２ｂの構成については、符号の末尾にｂを付している。第一スピーカ２ａと第二スピーカ２ｂとは、完全同一である必要はないが、コーン型振動板２３ａの径や磁気回路２６ａの径は同一であることが好ましい。
【００３０】
第一スピーカ２ａと第二スピーカ２ｂは、互いに向き合うように間隔をあけて配置された状態で、シャフト３によって連結されている。より詳細には、シャフト３がコーン型振動板２３ａ、２３ｂとセンターキャップ２５ａ、２５ｂを貫通し、シャフト３の一端が第一スピーカ２ａの磁気回路２６ａのヨーク２８ａに接続され、シャフト３の他端が第二スピーカ２ｂの磁気回路２６ｂのヨーク２８ｂに接続されている。本実施形態では、環状の磁石２７ａ、２７ｂの内側に配置されたヨーク２８ａ、２８ｂの円柱部の中心に、シャフト３が挿入される孔２９ａ、２９ｂが形成されている。本実施形態では、孔２９ａ、２９ｂに螺子溝が形成され、シャフト３の両端部にも孔２９ａ、２９ｂと接続するための螺子溝が形成され、第一スピーカ２ａ、第二スピーカ２ｂとシャフト３との接続状態をより安定的に維持できる構成となっている。シャフト３の素材は、特に限定されるものではなく、例えば金属製とすることができる。シャフト３をアルミニウム製とすることで、軽量かつ十分な強度を有するシャフトとすることができる。
【００３１】
上述したシャフト３によって連結された第一スピーカ２ａと第二スピーカ２ｂは、スピーカボックス５内のスピーカ支持部４によって支持される。本実施形態のスピーカ支持部４は、第一スピーカ２ａを支持する第一支持部４ａと、第二スピーカ２ｂを支持する第二支持部４ｂとによって構成されている。第一支持部４ａと第二支持部４ｂとは、同様の構成であるので、ここでは第一支持部４ａを例に説明する。第一支持部４ａは、板状部材によって構成され、そのほぼ中央に第一スピーカ２ａの環状の磁石２７ａを挿入する支持孔４１ａが形成されている。
【００３２】
ここで、図３は図２におけるＡ−Ａ断面図を示す。同図に示すように、第一支持部４ａは、矩形の板状部材によって構成され、その中央部に第一スピーカ２ａの環状の磁石２７ａの外形よりも大きい径を有する支持孔４１ａが形成されている。支持孔４１ａと環状の磁石２７ａとの間に形成される隙間には、この隙間を埋めるようにフェルトからなる支持緩衝部８が配置されている。これにより、第一スピーカ２ａをフローティング状態で支持することができる。また、後述する第一密閉室７ａの気密性を維持することができる。なお、支持緩衝部８は、柔軟性を有し、気密性を維持すると共に、第一スピーカ２ａの振動を吸収可能な素材によって形成すればよい。本実施形態では、支持緩衝部８としてフェルトを用いたが、これに換えてＰＥＦ（発泡ポリエチレンフォーム）を用いてもよい。
【００３３】
次に振動伝達室６について説明する。第一スピーカ２ａと第二スピーカ２ｂとの間には、この間の空間内の空気を囲む振動伝達室６が設けられている。振動伝達室６は、第一スピーカ２ａのフレーム２４ａの外側端部と接する第一仕切材６１と、第二スピーカ２ｂのフレーム２４ｂの外側端部と接する第二仕切材６２と、スピーカボックス５の天板５１、底板５２、背面板５６（紙面奥側）の一部を利用することで構成され。紙面手前側には、振動伝達室６内において振動が伝達された空気が音波として放出される開口部５７（図２において図示せず）が形成されている。
【００３４】
ここで、図４は、スピーカ装置１の正面図を示す。なお、同図では、第一スピーカ２ａ等、スピーカボックス５の内部に配置される構成が点線で示されている。本実施形態においては、開口部５７の高さがスピーカボックス５の高さよりやや小さく形成され、開口部５７の幅が第一スピーカ２ａのフレーム２４ａの外側端部と第二スピーカ２ｂのフレーム２４ｂの外側端部との間隔、換言すると第一仕切板６１と第二仕切板６２との間隔に対応するように形成されている。振動伝達室６や開口部５７の形状は、特に限定されるもので
はない。本実施形態では、振動伝達室６の壁の一部としてスピーカボックス５の壁（天板５１等）を利用したが、スピーカボックス５の壁を用いず、第一スピーカ２ａと第二スピーカ２ｂとの間に形成される空間を全てスピーカボックス５の壁とは異なる仕切り材によって囲むようにしてもよい。すなわち、振動伝達室６は、第一スピーカ２ａと第二スピーカ２ｂとの間に形成される空間内の空気を囲むと共に、スピーカボックス５内の空気と独立させることができればよく、その形態は特に限定されない。
【００３５】
なお、仕切り材６１と第一スピーカ２ａのフレーム２４ａの外側端部とが接続される部分には、第一スピーカ２ａの振動を許容する緩衝部９が設けられている。ここで、図５は、図２においてＰで示す、第一スピーカ２ａと第一仕切材６１との接続部分の拡大図を示す。同図に示すように、本実施形態では、緩衝部９は、フェルトからなる断面がＬ字型によって形成されている。なお、緩衝部９は、第一スピーカ２ａの振動を許容できるものであればよく、その形状や素材は限定されるものではない。例えば、フェルトに換えてＰＥＦ（発泡ポリエチレンフォーム）を用いてもよい。
【００３６】
次に第一密閉室７ａ及び第二密閉室７ｂについて説明する。なお、第一密閉室７ａと第二密閉室７ｂとは、基本的には同様の構成を有することから、ここでは第一密閉室を例に説明する。第一密閉室７ａは、直方体からなり、直方体を形成する６面の壁のうち５面がスピーカボックス５の壁によって構成され、一面のみが上述した第一支持部４ａによって構成されている。つまり、第一密閉室７ａは、スピーカボックス５の壁を構成する天板５１、底板５２、側板５３、正面板５５、背面板５６と、第一支持部４ａとによって構成されている（図２参照）。第一支持部４ａは、上述したように第一スピーカ２ａを支持するものであるが、本実施形態においては、第一支持部４ａが第一密閉室７ａの壁としても機能している。そして、上述したように第一支持部４ａの支持孔４１ａには、フェルトからなる緩衝部９が設けられており、第一密閉室７ａの気密性が維持されている。つまり、第一密閉室７ａは、第一スピーカ２ａの後方に配置され、第一スピーカ２ａの後方から発せられる音波が外部へ放出するのを防いでいる。その結果、第一スピーカ２ａの後方から発せられる音波と、第一スピーカ２ａの前方、すなわち振動板２６ａから発せられ、振動伝達室６によって振動が伝達された空気としての音波との干渉が防止され、聴取者に対して良質な音声を提供することが可能となる。
【００３７】
＜動作＞
次に上述した本実施形態のスピーカ装置１の動作について説明する。本実施形態のスピーカ装置１は、第一スピーカ２ａと第二スピーカ２ｂの夫々に同相の信号が入力されることで動作する。ここで、図６は、スピーカ装置１を動作させた場合の音波の流れを示す。なお、図６は、スピーカ装置１の動作時の音波の流れを示す。図示しないオーディオ装置からの信号が配線を介して供給され、第一スピーカ２ａの端子及び第二スピーカ２ｂの端子に入力される。入力される信号は、同相の信号であり、また、第一スピーカ２ａの環状の磁石２７ａ及び第二スピーカ２ｂの環状の磁石２７ｂは、第一スピーカ２ａと第二スピーカ２ｂが同相駆動するように着磁されている。従って、第一スピーカ２ａのボイスコイル２１ａに電流が流れることで、ボイスコイル２１ａが紙面左右方向に振動し、この振動がボイスコイルボビン２２ａを介して、コーン型振動板２３ａへ伝達される。コーン型振動板２３ａの振動は、振動伝達室６内の空気に伝達され音波として、開口部５７から外部へ放出される。なお、第二スピーカ２ｂについても第一スピーカ２ａと同様の工程を経て、開口部５７から音波が放出される。一方、第一スピーカ２ａの後方から発せられた音波は、第一密閉室７ａに閉じ込められることになる。また、第二スピーカ２ｂの後方から発せられた音波は、第二密閉室７ｂに閉じ込められることになる。
【００３８】
＜効果＞
以上説明した本実施形態のスピーカ装置１によれば、第一スピーカ２ａの背面に設けら
れたヨーク２８ａと第二スピーカ２ｂの背面に設けられたヨーク２８ｂとがシャフト３によって連結されていることから、ヨーク２８ａ、２８ｂを含む磁気回路２６ａ、２６ｂの振動をシャフト３にて低減することができる。その結果、音響変換効率を高めることができる。また、本実施形態のスピーカ装置１によれば、振動伝達室６を備えることで、夫々のスピーカからの振動が振動伝達室６内の空気に効率的に伝達される。その結果、音響変更効率を高めることができる。更に、第一スピーカ２ａ及び第二スピーカ２ｂは、フローティング状態でスピーカ支持部４によって支持されていることから、スピーカの振動がスピーカボックス５に伝達されることを抑制することができる。その結果、箱鳴り（付帯音）の発生を抑制することができ、音の明瞭度を向上させることができる。
【００３９】
＜変形例＞
上述した実施形態のスピーカ装置１では、スピーカボックス５の内部に第一密閉室７ａと第二密閉室７ｂの二つの密閉室が形成されていた。しかし、これらの密閉室は、一つであってもよい。すなわち、密閉室は、振動伝達室６から放出される音波（夫々のスピーカの前方から発せられる音波）と夫々のスピーカの後方から発せられる音波との干渉を抑制できればよい。従って、例えば、スピーカ装置１は、スピーカボックス５内に一つの密閉室を有し、これと独立して振動伝達室６が設けられていればよい。
【００４０】
ここで、図７は、変形例に係るスピーカ装置１ａの概略断面図を示す。同図に示すように、変形例のスピーカ装置１ａは、上述したスピーカ装置１と同じく、第一スピーカ２ａ、第二スピーカ２ｂ、シャフト３によって構成され、シャフト３によって連結された第一スピーカ２ａと第二スピーカ２ｂがスピーカボックス５内に設けられている。なお、相違点について説明すると、上述したスピーカ装置１では、密閉室が二つ設けられていたが、変形例のスピーカ装置１では、振動伝達室６の周囲を囲むように一つの密閉室として密閉室７ｃが設けられている。このような形態であっても、振動伝達室６から放出される音波と夫々のスピーカの後方から発せられる音波との干渉は抑制することができる。
【００４１】
なお、上述した実施形態のスピーカ装置１では、第一支持部４ａが第一密閉室７ａの仕切板として機能し、また、第二支持部４ｂが第二密閉室７ｂの仕切板として機能していた。従って、第一支持部４ａ及び第二支持部４ｂには、共にスピーカボックス５の側板５３、５４と略同じ大きさの板状部材が用いられていた。しかし、変形例のスピーカ装置１ａにおいては、少なくとも夫々のスピーカをフローティング状態で支持できればよく、仕切板としての機能を持たせなくてもよい。そこで、変形例のスピーカ装置１ａのスピーカ支持部４ａ１は、高さ方向の長さがスピーカボックス５の天板５１と底板５２に接続できるようスピーカボックスの高さとほぼ同じ長さを有している。一方、スピーカ支持部４ａ１の幅は、スピーカボックス５の奥行きよりも短く形成されている。スピーカ支持部４ｂ１も同様に構成されている。更に、振動伝達室６を形成する仕切板として、第三仕切板６３が設けられ、スピーカ装置１の振動伝達室６に比べて、スピーカ装置１ａの振動伝達室６の奥行きが狭く形成され、その分第一スピーカ２ａの後方に形成される空間と、第二スピーカ２ｂの後方に形成される空間が連通し、密閉室７ｃが形成されている。
【００４２】
以上、本発明の好適な実施形態を説明したが、本発明に係るスピーカ装置はこれらに限らず、可能な限りこれらの組合せを含むことができる。
【図面の簡単な説明】
【００４３】
【図１】従来のスピーカ装置の概略断面図を示す。
【図２】実施形態のスピーカ装置の概略断面図を示す。
【図３】図２におけるＡ−Ａ断面図を示す。
【図４】スピーカ装置の正面図を示す。
【図５】第一スピーカと第一仕切材との接続部分の拡大図を示す。
【図６】スピーカ装置を動作させた場合の音波の流れを示す。
【図７】変形例に係るスピーカ装置の概略断面図を示す。
【符号の説明】
【００４４】
１、１ａ・・・スピーカ装置
２ａ・・・第一スピーカ
２ｂ・・・第二スピーカ
３・・・シャフト
４ａ・・・第一支持部
４ｂ・・・第二支持部
５・・・スピーカボックス
６・・・振動伝達室
７ａ・・・第一密閉室
７ｂ・・・第二密閉室
８・・・フェルト
９・・・緩衝材
１００・・・従来のスピーカ装置
１０１ａ・・・第一スピーカ
１０１ｂ・・・第二スピーカ
１０４・・・シャフト
【図１】
2009094677.tif 000003
【図２】
2009094677.tif 000004
【図３】
2009094677.tif 000005
【図４】
2009094677.tif 000006
【図５】
2009094677.tif 000007
【図６】
2009094677.tif 000008
【図７】
2009094677.tif 000009